(57)【要約】【課題】誘導加熱炊飯器において、使用する電源の状況によって加熱開始直後に所定の電力が得られない場合、おいしいご飯が炊けないという課題を解決する。【解決手段】加熱コイル４に流れる電流値を検出する電流検出手段３３の検出値から加熱コイル４の出力が所定の出力となるようにスイッチング素子２３のＯＮ−ＯＦＦ時間の比率を調整する制御回路５を備え、該制御回路５にスイッチング素子２３のＯＮ−ＯＦＦ時間の比率を記憶する記憶手段３４を備えた炊飯器において、制御回路５は、炊飯動作毎に前回の炊飯時に記憶手段３４に記憶しているスイッチング素子２３のＯＮ−ＯＦＦ時間の比率を呼び出し、該ＯＮ−ＯＦＦ時間の比率で内釜４の加熱を開始し、電流検出手段３３の検出値から加熱コイル４の出力が所定の出力となるようにスイッチング素子２３のＯＮ−ＯＦＦ時間の比率を調整し、既に記憶されている前記比率を調整後の比率に変更する。【選択図】  図４
2011103941.tif 000002
【特許請求の範囲】
【請求項１】
交流電源を整流して直流電源に変換する整流回路と、
前記直流電源を平滑する平滑回路と、
本体内に着脱自在に収納される内釜と該内釜を加熱する加熱コイルと該加熱コイルに並列接続したコンデンサとからなる共振回路と、
一定の周期でＯＮ−ＯＦＦ動作を繰り返し前記加熱コイルに前記直流電源を供給するスイッチング素子を備えたインバータ回路と、
前記加熱コイルに流れる電流値を検出する電流検出手段と、
該電流検出手段の検出値から前記加熱コイルの出力が所定の出力となるように前記スイッチング素子のＯＮ−ＯＦＦ時間の比率を調整する制御回路とを備え、
該制御回路に前記スイッチング素子のＯＮ−ＯＦＦ時間の比率を記憶する記憶手段を備えた炊飯器において、
前記制御回路は、炊飯動作毎に前回の炊飯時に前記記憶手段に記憶している前記スイッチング素子のＯＮ−ＯＦＦ時間の比率を呼び出し、該ＯＮ−ＯＦＦ時間の比率で前記内釜の加熱を開始し、前記電流検出手段の検出値から前記加熱コイルの出力が所定の出力となるように前記スイッチング素子のＯＮ−ＯＦＦ時間の比率を調整し、既に記憶されている前記比率を調整後の比率に変更することを特徴とした炊飯器。
【発明の詳細な説明】
【技術分野】
【０００１】
本発明は、インバータ制御回路を備えた誘導加熱方式の炊飯器に有するものである。
【背景技術】
【０００２】
従来のこの種の炊飯器において、供給される電源の状態や、炊飯器を製造した部品等の状態に応じて、炊飯時の火力のバラツキを調整する炊飯器がある。
【０００３】
特許文献１に示すものは、インバータ回路に流れる電流を検出する電流検出回路と電源電圧を検出する電圧検出回路を備え、夫々の検出回路に検出誤差を生じないように、検出回路の入力側に一定の値が印加された時に決められた出力値を出力するように調整手段を備え、加熱動作時に電源電圧が一定の値（１００Ｖ）より高い時は、電圧検出回路より出力される値は決められた一定値より高い値を示すので、電源電圧が高い分だけ電源電流の目標値を減らし、電源電圧が一定の値（１００Ｖ）より低い時は、電圧検出回路より出力される値が決められた一定値より低い値を示すので、電源電圧が低い分だけ電源電流の目標値を増やし、そして、電流値が目標値になるように動作することで、常に一定の電力で調理ができるようにした炊飯器である。
【先行技術文献】
【特許文献】
【０００４】
【特許文献１】特開平１１−５６６０２号公報
【発明の概要】
【発明が解決しようとする課題】
【０００５】
上記した特許文献１記載の炊飯器は、使用時に電源電圧に応じて電源電流を調整し、加熱時の電力を常に一定にするものである。
【０００６】
そのため、使用する電源電圧が常に低い場合には、加熱開始は電力の低い状態で開始し、電圧の小さい分、定められた電力になるように目標電流を増加するように制御が行われ、また、常に電源電圧が高い場合には、加熱開始は電力の高い状態から動作し、電圧の大きい分、定められた電力となるように減少させた目標電流になるように制御が行われる。
【０００７】
ところで、炊飯器の火力制御を行う場合、例えば、炊飯前の浸し工程では、お米の温度を一定以上に加熱してしまうと、お米は以後吸水を停止し、炊き上がったご飯は中心に硬い芯が残り、周囲は浸水しないで多く残った水の影響で糊状のご飯が炊き上がってしまう。
【０００８】
そのため、内鍋（内釜）内のお米の温度を、一定温度以上に加熱しないように、加熱コイルへの電力の通電はＯＮ／ＯＦＦによる断続加熱を行い、内鍋に接触しているお米から内鍋内の中心にあるお米に熱伝導により温度を上昇させている。そして、内鍋に接触しているお米を加熱し過ぎないように、加熱コイルへの電力の通電はＯＦＦ時間に比べＯＮ時間は大変短い時間となっている。
【０００９】
このような加熱コイルへの電力の通電は、通電時の電力に依存し、例えば、電源電圧が常に低い場合は、加熱コイルへの電力の通電は常に目標電力に比べ低い電力が供給され、その後、設定された目標電力になるように制御され、目標電力に到達するまで常に加熱不足の状態が続くことが考えられる。
【００１０】
また、反対に電源電圧が常に高い場合は、常に過剰電力による過加熱になることが考えられ、このような状態ではおいしいご飯を炊くことはできない課題がある。
【課題を解決するための手段】
【００１１】
本発明は、上記の課題を解決するためになされたもので、交流電源を整流して直流電源に変換する整流回路と、前記直流電源を平滑する平滑回路と、本体内に着脱自在に収納される内釜と該内釜を加熱する加熱コイルと該加熱コイルに並列接続したコンデンサとからなる共振回路と、一定の周期でＯＮ−ＯＦＦ動作を繰り返し前記加熱コイルに前記直流電源を供給するスイッチング素子を備えたインバータ回路と、前記加熱コイルに流れる電流値を検出する電流検出手段と、該電流検出手段の検出値から前記加熱コイルの出力が所定の出力となるように前記スイッチング素子のＯＮ−ＯＦＦ時間の比率を調整する制御回路とを備え、該制御回路に前記スイッチング素子のＯＮ−ＯＦＦ時間の比率を記憶する記憶手段を備えた炊飯器において、前記制御回路は、炊飯動作毎に前回の炊飯時に前記記憶手段に記憶している前記スイッチング素子のＯＮ−ＯＦＦ時間の比率を呼び出し、該ＯＮ−ＯＦＦ時間の比率で前記内釜の加熱を開始し、前記電流検出手段の検出値から前記加熱コイルの出力が所定の出力となるように前記スイッチング素子のＯＮ−ＯＦＦ時間の比率を調整し、既に記憶されている前記比率を調整後の比率に変更するものである。
【発明の効果】
【００１２】
本発明によれば、炊飯動作毎に、前回の炊飯時に制御回路の記憶手段に記憶しているスイッチング素子のＯＮ−ＯＦＦ時間の比率を呼び出し、該ＯＮ−ＯＦＦ時間の比率で内釜の加熱を開始するようにしたので、炊飯動作直後から所定の電力を加熱コイルに供給して炊飯することが可能となり、常に美味しいご飯を炊くことができる。
【図面の簡単な説明】
【００１３】
【図１】本発明に係る炊飯器の縦断面図である。
【図２】本発明の一実施例を示すインバータ制御回路の回路ブロック図である。
【図３】本発明の主要回路部の信号波形を示す図である。
【図４】本発明の一実施例におけるフローチャート図である。
【発明を実施するための形態】
【００１４】
以下、本発明の実施例を上記した図１から図２に従って説明する。
【００１５】
図において、炊飯器の本体１は、内側に上面が開口した保護枠１４が設けられ、保護枠１４内には内釜２が着脱自在に収納されている。
【００１６】
内釜２は、上面が開口した有底筒状であり、その上端部は本体１から着脱操作がしやすいように外向きに略水平に折り曲げられ、本体１の上面に載置されている。
【００１７】
保護枠１４の外側底部には内釜２の底面部を誘導加熱する加熱コイル４が設けられ、保護枠１４と本体１との間の前面側空間部には制御部５が配置され、該制御部５の働きによって加熱コイル４を制御する。
【００１８】
外蓋３には内釜２の上面開口部を覆う内蓋６が取り付けられ、該内蓋６の下面周縁部に取り付けられたパッキン７を内釜２の上端全周に当接して内釜２と内蓋６とで構成される空間を密閉状態に保持している。
【００１９】
内蓋６の略中央部には調圧弁８が設けられており、加熱コイル４によって内釜２が加熱され、内釜２内の蒸気圧が高まると調圧弁８が動作し、内釜２内を所定の圧力（本実施例では１.３気圧）に調整しながら蒸気を排出する。調圧弁８から排出された蒸気は外蓋３に設けられた蒸気通路９を経て該外蓋３に着脱自在に取り付けた蒸気回収ユニット１０へ導かれる。
【００２０】
蒸気回収ユニット１０と調圧弁８との間の蒸気通路９には、調圧弁８の近傍に位置するように蒸気温度センサー１１が設けられている。
【００２１】
制御回路５には、前記した蒸気温度センサー１１と、内釜２の底部の温度を検出する釜底温度センサー１２と、調圧弁８の調圧動作を行わせる調圧弁制御部１３が接続されており、蒸気温度センサー１１と釜底温度センサー１２からの温度情報により加熱コイル４と、調圧弁８を閉じる調圧動作と調圧弁８が開放して内釜２内に圧力が加わらない状態とを切替制御している。
【００２２】
次に回路構成について図２を用いて説明する。
【００２３】
１６は商用電源である。
【００２４】
１７は整流回路で、複数の整流器で構成され、入力する商用電源１６の交流電源を直流電源に変換して出力する。出力される直流電源のマイナス側の端子は接地されている。
【００２５】
２０は平滑回路で、チョークコイル１８とチョークコイル１８の一端に接続された平滑コンデンサ１９とで構成され、整流回路１７で直流に変換された電源を平滑する。
【００２６】
２２は共振回路で、内釜２と、内釜２を誘導加熱する加熱コイル４と、加熱コイル４に並列に接続されたコンデンサ２１とから構成され、加熱コイル４に高周波の電圧を印加することで、加熱コイル４と磁気結合している内釜２を誘導加熱する。
【００２７】
２５はインバータ回路で、スイッチング素子２３とダイオード２４とで構成され、スイッチング素子２３のコレクタ端子とエミッタ端子には夫々ダイオード２４のカソード端子とアノード端子が接続され、スイッチング素子２３のコレクタ端子側には加熱コイル４が接続され、エミッタ端子側は接地されている。
【００２８】
３３は電流検出手段で、加熱コイル４に流れる電流値（Ｉ）を検出するものであり、その検出部は整流回路１７と平滑回路２０との間に接続され、出力部は後述するマイクロコンピュータ３１の入力端子ＩＮ１に接続されている。
【００２９】
５は制御回路で、後述するマイクロコンピュータ３１に組み込まれたプログラムに従って内釜２を加熱し、炊飯を行うための制御を行うものであり、下記のように構成されている。
【００３０】
２６はトリガタイミング回路で、加熱コイル４に流れる共振電圧を検出する。
【００３１】
２７はトリガ回路で、トリガタイミング回路２６で検出した共振電圧からスイッチング素子２３をＯＮするタイミングを出力する。
【００３２】
２８は自走発振器で、トリガ回路２７の出力を基準に加熱コイル４に電力を印加する高周波数の三角波を出力する。
【００３３】
３０はドライブ回路で、出力はスイッチング素子２３のベース端子に接続され、入力された信号を駆動に適した駆動電圧に変換してスイッチング素子２３を駆動する。
【００３４】
２９は比較器で、スイッチング素子２３のＯＮ−ＯＦＦ動作時間を決定するもので、入力は自走発振器２８の出力と後述するＤＡ変換回路３２の出力に接続され、これらの信号を比較してスイッチング素子２３を駆動するパルス信号を出力する。
【００３５】
３５はインバータオン・オフ回路で、比較器２９の出力を次段の回路に伝えるか断つかを、後述するマイクロコンピュータ３１の信号を入力３５ａで入力して動作するもので、比較器２９の出力を断たれるとスイッチング素子２３はＯＦＦして加熱を停止し、比較器２９の出力が伝えられるとスイッチング素子２３は比較器２９の出力に応じて動作する。
【００３６】
３１はマイクロコンピュータで、入力端子ＩＮ１は電流検出手段３３の検出した電流値（Ｉ）を入力し、出力端子ＯＵＴ２は、インバータオン・オフ回路３５を制御するインバータオン・オフ信号（インバータオン信号またはインバータオフ信号）を出力し、出力端子ＯＵＴ１は、事前に入力されているプログラムに応じて加熱コイル４に流れる電流を制御するための電力設定信号を出力するもので、電力設定信号は、一定の周期のパルス信号（ＯＮ−ＯＦＦの矩形波）で出力し、加熱する出力値の大小に応じて矩形波のＯＮ−ＯＦＦの比率を可変するものである。そして、入力端子ＩＮ１に入力される電流（Ｉ）がプログラムの要求する出力になるように、電力設定信号の矩形波のＯＮ−ＯＦＦ時間の比率を調整する。例えば、加熱する出力が大きく入力電流が大きい時はＯＮ時間の比率を小さくしてアナログ信号のレベルを低くなるように設定し、出力が小さく入力電流が小さい時はＯＮ時間の比率を大きくしてアナログ信号のレベルを高くなるように設定している。
【００３７】
３２はＤＡ変換回路で、マイクロコンピュータ３１の出力端子ＯＵＴ１から出力される電力設定信号をアナログ信号に変換するものである。
【００３８】
３４は記憶手段で、前記電力設定信号の駆動条件である一定の周期のパルス信号（ＯＮ−ＯＦＦの矩形波）のＯＮ時間（Ｓ）を記憶しておくところである。尚、記憶手段３４は、マイクロコンピュータ３１の内部記憶手段を使用しても良い。
【００３９】
本実施例は、以上の構成からなり、次に動作について詳細に説明する。
【００４０】
炊飯器を商用電源１６に接続すると、電源が商用電源１６から整流回路１７に供給され、整流回路１７によって整流され、平滑回路２０によって平滑されて直流の電源に変換される。
【００４１】
マイクロコンピュータ３１は、使用者から炊飯開始の動作信号が入力されるまで、各出力端子ＯＵＴ１，ＯＵＴ２からは信号を出力することなく待機状態となる。
【００４２】
次に、使用者から炊飯開始の動作信号がマイクロコンピュータ３１に入力されると、マイクロコンピュータ３１は、炊飯を行うため入力されているプログラムに応じて浸し工程，加熱工程，蒸らし工程そして保温工程と進むべき加熱を開始する。
【００４３】
加熱を開始するために、マイクロコンピュータ３１は、出力端子ＯＵＴ２からインバータオン信号を出力し、インバータオン・オフ回路３５をＯＮして比較器２９の信号をドライブ回路３０に伝えられる状態にする。
【００４４】
そして、内釜８を加熱するため、マイクロコンピュータ３１は、記憶手段３４に記憶してあるスイッチング素子２３を駆動するための駆動条件となる電力設定信号のＯＮ時間（Ｓ）を呼び出し、出力端子ＯＵＴ１から前記呼び出したＯＮ時間（Ｓ）で生成された電力設定信号を出力する。
【００４５】
次に、出力された電力設定信号は矩形波に応じてＤＡ変換回路３２でアナログ値のアナログ信号に変換され、比較器２９に入力される。電力設定信号の矩形波は、動作周期が一定なのでＯＮ時間（Ｓ）が決定すればＯＦＦ時間は自ずと決まり、ＯＮ時間（Ｓ）が長いほどＤＡ変換回路３２から出力されるアナログ信号の値も大きくなる。
【００４６】
図３に、電力設定信号（３−ｃ）とアナログ信号（３−ｄ）の関係を示す。
【００４７】
３−ｃに示すのは、ＯＮ時間（Ｓ）の長い電力設定信号（イ）とＯＮ時間（Ｓ）の短い長い電力設定信号（ロ）を示し、３−ｄでは、ＤＡ変換回路３２を通過した前記各電力信号の出力であるアナログ信号が示され、ＯＮ時間（Ｓ）の長い電力設定信号（イ）は出力レベルの高いアナログ信号（イ）が出力され、ＯＮ時間（Ｓ）が短い電力設定信号（ロ）は出力レベルの低いアナログ信号（ロ）が出力されることを示し、そのアナログ信号が比較器２９に入力される。
【００４８】
同時に、自走発振器２８の発生する三角波も比較器２９に入力され、比較器２９の出力信号がインバータオン・オフ回路３５，ドライブ回路３０を経由してインバータ回路２５内のスイッチング素子２３のベースへ伝達され、スイッチング素子２３が駆動される。
【００４９】
比較器２９は、自走発振器２８の出力する三角波とＤＡ変換回路３２の出力するアナログ信号を比較し、アナログ信号のレベルが高いと三角波の頂点側に信号が振れるので、比較器２９の出力するＯＮ時間の比率が短くなり、アナログ信号のレベルが低いと三角波の底辺側に信号が振れるので、比較器２９の出力するＯＮ時間の比率が長く、このＯＮ時間がスイッチング素子２３をＯＮする時間となる。
【００５０】
図３は、上記の動作を説明するもので、３−ａはスイッチング素子２３をＯＮするタイミングを出力するトリガ回路２７の信号を示し、３−ｂはトリガ回路２７の信号に同期して三角波を出力する自走発信器２８の出力を示し、３−ｃと３−ｄは、前述したようにマイクロコンピュータ３１のＯＵＴ１端子の出力する電力設定信号と、ＤＡ変換回路３２が出力するアナログ信号を示したものである。
【００５１】
そして、３−ｅは、３−ｂと３−ｄの信号が比較器２９に入力し、両方の信号を比較しやすいように重複して図示したもので、３−ｆは比較器２９の出力を示したものである。
【００５２】
入力された基準となる三角波に対して、入力されたアナログ信号の出力の大小に応じて比較器２９の出力波形（３−ｆ）のＯＮ時間が異なり、出力値の大きなアナログ信号（イ）の場合は、出力波形のＯＮ時間が短いスイッチング素子ＯＮ時間（イ）の信号となり、出力値の小さなアナログ信号（ロ）の場合は、出力波形のＯＮ時間が長いスイッチング素子ＯＮ時間（ロ）の信号を出力する。
【００５３】
スイッチング素子２３が駆動されることにより、前記直流電源から共振回路２２に電流が供給され、加熱コイル４やスイッチング素子２３等に電流が流れ始める。
【００５４】
スイッチング素子２３に電流が流れると、そのコレクタの電圧、即ち共振電圧を検出するトリガタイミング回路２６が動作を始め、その出力がトリガ回路２７に伝達され、さらに自走発振器２８に伝達される。トリガタイミング回路２６の信号が自走発振器２８に伝達されると、自走発振器２８はその信号に同期する周波数で発振するようになる。
【００５５】
以後、内釜２を加熱している間は、前記信号は自走発振器２８→比較器２９→インバータオン・オフ回路３５→ドライブ回路３０→スイッチング素子２３→トリガタイミング回路２６→トリガ回路２７→自走発振器２８→・・・・・・とループ状に伝達される。これにより、スイッチング素子２３がトリガタイミング回路２６によるＯＮタイミングで周期的に駆動されるため、加熱コイル４に高周波電流が持続して流れ、内釜２の加熱が行われる。
【００５６】
電流検出手段３３は、この高周波電流に対応して電源１６から流れる電流（Ｉ）を検出してマイクロコンピュータ３１の入力端子ＩＮ１に入力する。
【００５７】
マイクロコンピュータ３１は前記入力された電流（Ｉ）値と後述する規定電流（Ｉａ）とを比較し、電流検出手段３３の検出値が規定電流（Ｉａ）と同じ値になるように、スイッチング素子２３の駆動条件である電力設定信号のＯＮ時間（Ｓ）を変更する。
【００５８】
前記規定電流（Ｉａ）とは、炊飯器の製造元で事前に出力を調整した時に記憶した電流値で、商用電源１６の代わりに定格電圧にて電源を供給し、規定出力となるようにスイッチング素子２３の駆動条件を調整した時に加熱コイル４に流れる電流を電流検出手段３３で検出した値である。
【００５９】
そして、マイクロコンピュータ３１は所定の終了時期が来たと判断すると、その出力端子ＯＵＴ１，ＯＵＴ２の出力を全て停止し、スイッチング素子１０などの動作も停止し加熱が終了する。
【００６０】
以上は主に回路の動作を中心に説明したが、次にマイクロコンピュータ３１の内部で行われている処理について図４のフローチャートを用いて説明する。
【００６１】
工程４−ａは待機の状態を示し、炊飯器に電源が供給され、使用者からの動作（加熱）開始の支持を待つ状態を示す。
【００６２】
工程４−ｂは加熱を開始する状態を示し、使用者により炊飯の加熱開始を指示されプログラムに応じて加熱動作に入ったことを示す。
【００６３】
工程４−ｃはスイッチング素子２３の駆動条件である電力設定信号のＯＮ時間（Ｓ）を呼び出す動作を示す。マイクロコンピュータ３１は内釜２を加熱するために、スイッチング素子２３の駆動条件である電力設定信号のＯＮ時間（Ｓ）を記憶手段３４より呼び出し、呼び出した時間Ｓは、工程４−ｄ１でＯＮ時間（Ｓ）と決定する。もし、何らかの故障によってこの時間Ｓが呼び出せなかった場合、または呼び出した時間Ｓの値が一定値以上に異なった数値を検出した場合は、工程４−ｄ２で事前にプログラム等に入力してある時間ＳｒをＯＮ時間（Ｓ）と決定する。
【００６４】
工程４−ｅでは決定したＯＮ時間（Ｓ）から電力設定信号を生成して出力する工程である。
【００６５】
工程４−ｆは加熱コイル４に流れる電流を電流検出手段３３によって検出する動作を示したもので、スイッチング素子２３が動作を開始し、加熱コイル４に流れる電流（Ｉ）を電流検出手段３３によって検出するもので、その電流（Ｉ）は、電源電圧のバラツキや共振回路２２の状態に応じて変化する。
【００６６】
工程４−ｇは前記電流（Ｉ）の違いを修正する動作を示すもので、前記検出した電流（Ｉ）と規定電流（Ｉａ）と比較し、スイッチング素子２３の駆動条件である電力設定信号のＯＮ時間（Ｓ）を補正して修正する。
【００６７】
検出電流（Ｉ）が規定電流（Ｉａ）より小さい場合は、工程４−ｈ３によって電量設定信号のＯＮ時間（Ｓ）の時間Ｓを短くすることでスイッチング素子２３のＯＮ時間を長く補正して電流値（Ｉ）を規定値（Ｉａ）になるように修正し、検出電流（Ｉ）が規定電流（Ｉａ）より大きい場合は、工程４−ｈ２によって電量設定信号のＯＮ時間（Ｓ）の時間Ｓを長くすることでスイッチング素子２３のＯＮ時間を短く補正して電流値（Ｉ）を規定値（Ｉａ）になるように修正する。検出電流（Ｉ）と規定電流（Ｉａ）が同じ場合は電量設定信号のＯＮ時間（Ｓ）の時間Ｓを変更することなく加熱は継続される。
【００６８】
検出電流（Ｉ）を規定電流（Ｉａ）と比較する場合、一定時間の平均値で比較しても良いし、検出電流（Ｉ）と規定電流（Ｉａ）を比較した場合、一定値以上の差が有る場合のみ補正するようにしても良い。
【００６９】
前記補正が完了すると工程４−ｊにて、補正後のＯＮ時間（Ｓ）の時間Ｓを、既に記憶手段３４に記憶されている時間Ｓに上書きして修正する工程である。そして、次回からの炊飯動作（加熱）では修正した時間Ｓで電力設定信号のＯＮ時間（Ｓ）を駆動することができるので加熱開始直後から規定電力で内釜２を加熱することができるようになる。
【００７０】
工程４−ｋは加熱終了の工程で、マイクロコンピュータ３１は所定の終了時期が来たと判断すると、その出力端子ＯＵＴ１，ＯＵＴ２、の出力を全て停止し、スイッチング素子１０などの動作も停止し加熱を終了する。
【００７１】
以上使用する商用電源１６の電圧値の違いによる動作を説明したが、内釜２を交換した時に、内釜２の誤差による共振回路２２の変動による加熱出力の誤差も、一度炊飯器を動作することで自動的に規定出力に修正が可能となる。
【００７２】
以上説明したように、本実施例によれば、炊飯動作毎に、前回の炊飯時に制御回路の記憶手段に記憶しているスイッチング素子のＯＮ−ＯＦＦ時間の比率を呼び出し、該ＯＮ−ＯＦＦ時間の比率で内釜の加熱を開始するようにしたので、炊飯動作直後から所定の電力を加熱コイルに供給して炊飯することが可能となり、常に美味しいご飯を炊くことができる。
【符号の説明】
【００７３】
２  内釜
４  加熱コイル
５  制御回路
２２  共振回路
２５  インバータ回路
３３  電流検出手段
３４  記憶手段
【図１】
2011103941.tif 000003
【図２】
2011103941.tif 000004
【図３】
2011103941.tif 000005
【図４】
2011103941.tif 000006